(57)【要約】【課題】レリーズタイムラグを撮影者の所望のタイミングに遅らせることが可能な一眼レフカメラ及びカメラシステムを提供することである。【解決手段】ファーストレリーズスイッチ１及びセカンドレリーズスイッチ２のオン、オフ状態がスイッチ検出回路３により検出される。このスイッチ検出回路３の出力は、ディレイ時間発生回路４に供給されて、ここでディレイ時間設定部６で設定されたディレイ時間が経過した後、露出部５に信号が供給されて露出動作が行われる。そして、ディレイ時間設定部６にて、このカメラのレリーズタイムラグのディレイ時間が設定される。【選択図】      図１
2005321637.tif 000002
【特許請求の範囲】
【請求項１】
フォーカルプレーンシャッタと、クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
上記クイックリターンミラーを駆動するアクチュエータを制御するミラー制御手段と、
上記フォーカルプレーンシャッタの走行を制御するシャッタ制御手段と、
第１のディレイ時間と、第２のディレイ時間を設定するディレイ時間設定手段と、
を具備し、
上記シャッタレリーズスイッチ検出手段の出力を受けて、上記第１のディレイ時間経過後に上記ミラー制御手段により、上記クイックリターンミラーを撮影光路から退避させ、上記第２のディレイ時間経過後に上記シャッタ制御手段により上記フォーカルプレーンシャッタを動作させることを特徴とする一眼レフカメラ。
【請求項２】
複数のディレイ時間を記憶するメモリ手段を更に具備し、
上記ディレイ時間設定手段は、予め上記メモリ手段に記憶してあるディレイ時間値を読み込んで、上記第１及び第２のディレイ時間に設定することを特徴とする請求項１に記載の一眼レフカメラ。
【請求項３】
上記ディレイ時間は、撮影者によりカメラのメニュー画面から設定可能であることを特徴とする請求項１に記載の一眼レフカメラ。
【請求項４】
上記メモリ手段に予め記憶されているディレイ時間は、他のカメラの実測値の代表値が記憶されているものであり、上記メニュー画面からカメラの機種情報により設定することが可能であることを特徴とする請求項２に記載の一眼レフカメラ。
【請求項５】
上記ディレイ時間設定手段は、カメラ外部からの信号を受けて、上記第１のディレイ時間と、上記第２のディレイ時間を設定し、
上記ミラー制御手段は、上記シャッタレリーズスイッチ検出手段の出力を受けて、上記第１のディレイ時間経過後に上記クイックリターンミラーを撮影光路から退避させ、上記シャッタ制御手段は、上記第２のディレイ時間経過後に上記フォーカルプレーンシャッタを動作させることを特徴とする請求項１に記載の一眼レフカメラ。
【請求項６】
上記カメラ外部からの信号は、別のカメラのシャッタレリーズスイッチのオンと、上記ミラー制御手段の動作開始若しくは上記シャッタ制御手段の動作開始のタイミングで出力される信号であることを特徴とする請求項５に記載の一眼レフカメラ。
【請求項７】
クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
上記クイックリターンミラーを駆動するアクチュエータを制御するミラー制御手段と、
上記フォーカルプレーンシャッタの走行を制御するシャッタ制御手段と、
上記シャッタレリーズスイッチのレリーズタイムラグを設定する設定手段と、
を具備し、
上記ミラー制御手段は、上記設定手段で設定されたレリーズタイムラグに応じて、上記アクチュエータに印加する電圧を変化させることを特徴とする一眼レフカメラ。
【請求項８】
フォーカルプレーンシャッタと、クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
上記クイックリターンミラーを駆動するアクチュエータを制御するミラー制御手段と、
他のカメラと通信を行い、上記他のカメラのレリーズタイムラグと同じレリーズタイムラグを設定する設定手段と、
上記設定手段で設定されたレリーズタイムラグに基づき、上記フォーカルプレーンシャッタの動作開始をディレイさせるシャッタ制御手段と、
を具備することを特徴とする一眼レフカメラ。
【請求項９】
フォーカルプレーンシャッタと、クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
上記クイックリターンミラーを駆動するアクチュエータを制御するミラー制御手段と、
複数のカメラのレリーズタイムラグ情報を記憶するメモリ手段と、
上記複数のレリーズタイムラグ情報を選択的に設定可能な設定手段と、
上記設定手段で設定されたレリーズタイムラグに基づき、上記フォーカルプレーンシャッタの動作開始をディレイさせるシャッタ制御手段と、
を具備することを特徴とする一眼レフカメラ。
【請求項１０】
フォーカルプレーンシャッタと、クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
第１のディレイ時間と、該第１のディレイ時間とは異なる第２のディレイ時間の設定を行うディレイ時間設定手段と、
上記シャッタレリーズスイッチ検出手段の出力を受けて、上記第１のディレイ時間経過後に上記クイックリターンミラーを撮影光路から退避させるべく駆動するアクチュエータを制御するミラー制御手段と、
上記シャッタレリーズスイッチ検出手段の出力を受けて、上記第２のディレイ時間経過後に上記フォーカルプレーンシャッタの走行を制御するシャッタ制御手段と、
を具備することを特徴とする一眼レフカメラ。
【請求項１１】
上記ディレイ時間設定手段は、上記第１のディレイ時間及び第２のディレイ時間を設定変更可能であることを特徴とする請求項１０に記載の一眼レフカメラ。
【請求項１２】
上記ディレイ時間設定手段は、上記第１のディレイ時間と第２のディレイ時間を所望の割合に従って設定可能であることを特徴とする請求項１１に記載の一眼レフカメラ。
【請求項１３】
複数のディレイ時間を記憶するメモリ手段を更に具備し、
上記ディレイ時間設定手段は、予め上記メモリ手段に記憶されているディレイ時間値を読み込んで、上記第１及び第２のディレイ時間に設定することを特徴とする請求項１０に記載の一眼レフカメラ。
【請求項１４】
上記ディレイ時間は、カメラのメニュー画面から設定可能であることを特徴とする請求項１０に記載の一眼レフカメラ。
【請求項１５】
上記メモリ手段に予め記憶されているディレイ時間は、他のカメラの実測値の代表値が記憶されているものであり、上記メニュー画面からカメラの機種情報により設定することが可能であることを特徴とする請求項１３に記載の一眼レフカメラ。
【請求項１６】
クイックリターンミラーを備える一眼レフカメラに於いて、
シャッタレリーズを指示するシャッタレリーズスイッチと、
上記シャッタレリーズスイッチのオン、オフを検出するシャッタレリーズスイッチ検出手段と、
上記シャッタレリーズスイッチのレリーズタイムラグを設定する設定手段と、
上記設定手段で設定されたレリーズタイムラグに応じて、上記クイックリターンミラーを駆動するアクチュエータに印加する電圧を変化させて制御するミラー制御手段と、
上記フォーカルプレーンシャッタの走行を制御するシャッタ制御手段と、
を具備することを特徴とする一眼レフカメラ。
【請求項１７】
フォーカルプレーンシャッタと、クイックリターンミラーを備えて通信可能な、少なくとも第１及び第２の一眼レフカメラを有するカメラシステムに於いて、
上記第１のカメラは、
シャッタレリーズを指示するシャッタレリーズスイッチと、
上記シャッタレリーズスイッチのオン、オフを検出するシャッタレリーズスイッチ検出手段と、
上記シャッタレリーズスイッチのレリーズタイムラグを設定する第１の設定手段と、
上記設定手段で設定されたレリーズタイムラグに基づき、上記フォーカルプレーンシャッタの動作開始をディレイさせる第１のシャッタ制御手段と、
を具備し、
上記第２のカメラは、
上記第１のカメラと通信を行い、上記第１のカメラのレリーズタイムラグと同じレリーズタイムラグを設定する第２の設定手段と、
上記第２の設定手段で設定されたレリーズタイムラグに基づき、上記フォーカルプレーンシャッタの動作開始をディレイさせる第２のシャッタ制御手段と、
を具備することを特徴とするカメラシステム。
【発明の詳細な説明】
【技術分野】
【０００１】
本発明は一眼レフカメラに関し、より詳細には、露出タイミング調整機能を有してシャッタのレリーズタイムラグディレイ可能な一眼レフカメラ及びカメラシステムに関するものである。
【背景技術】
【０００２】
一般に、一眼レフカメラは、シャッタレリーズ時等に発生するタイムラグを有している。このため、撮影者は、所望のタイミングにて撮影を行うために、とりわけ高速秒時ではタイムラグを考慮したシャッタタイミングで撮影している。
【０００３】
こうしたタイムラグに関して、レリーズスイッチのオンからミラーアップ完了までの検出時間を所定時間と比較してシャッタの走行時間を制御し、レリーズタイムラグのばらつきを抑制する技術や、絞りの駆動開始から駆動終了までに要する最大時間に合わせてレリーズタイムラグを常時一定となるようにした技術が知られている（例えば、特許文献１、特許文献２参照）。
【０００４】
また、電池の種類に応じて生じるバッテリチェックに要する時間変化を表示させて、レリーズタイムラグを撮影者に認識させる技術が知られている（例えば、特許文献３参照）。
【０００５】
更に、レリーズタイムラグの短い撮影モードが設定された場合はレリーズタイムラグが長いモードの設定を禁止し、レリーズタイムラグの長い撮影モードが設定された場合はレリーズタイムラグが短いモードの設定を禁止するカメラが知られている（例えば、特許文献４参照）。
【特許文献１】特開平６−７５２６６号公報
【特許文献２】特開２００２−１９９２８８号公報
【特許文献３】特開平７−２８１２４７号公報
【特許文献４】特開２００２−１５６６７８号公報
【発明の開示】
【発明が解決しようとする課題】
【０００６】
ところで、こうしたレリーズタイムラグはカメラによって異なっているので、例えば一人の撮影者が複数種類のカメラを所持している場合、カメラ毎に異なるレリーズタイムラグになれるまでとまどうことがある。また、レリーズタイムラグが最短のものが、撮影者が一番慣れているカメラであるとは限らない。つまり、単にレリーズタイムラグの短いカメラが使いやすいとは言えず、撮影者の意図した長さのレリーズタイムラグを有したカメラが、最も使いやすいカメラとなる。したがって、レリーズタイムラグを、撮影者の所望の遅さに合わせることのできるカメラが必要になってくる。
【０００７】
しかしながら、上述した特許文献１乃至４に記載の技術では、こうした撮影者の所望の遅さにレリーズタイムラグを合わせることはできないものであった。
【０００８】
本発明は上記課題に鑑みてなされたものであり、レリーズタイムラグを撮影者の所望のタイミングに遅らせることが可能な一眼レフカメラ及びカメラシステムを提供することを目的とする。
【課題を解決するための手段】
【０００９】
すなわち請求項１に記載の発明は、フォーカルプレーンシャッタと、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、上記クイックリターンミラーを駆動するアクチュエータを制御するミラー制御手段と、上記フォーカルプレーンシャッタの走行を制御するシャッタ制御手段と、第１のディレイ時間と、第２のディレイ時間を設定するディレイ時間設定手段と、を具備し、上記シャッタレリーズスイッチ検出手段の出力を受けて、上記第１のディレイ時間経過後に上記ミラー制御手段により、上記クイックリターンミラーを撮影光路から退避させ、上記第２のディレイ時間経過後に上記シャッタ制御手段により上記フォーカルプレーンシャッタを動作させることを特徴とする。
【００１０】
請求項２に記載の発明は、請求項１に記載の発明に於いて、複数のディレイ時間を記憶するメモリ手段を更に具備し、上記ディレイ時間設定手段は、予め上記メモリ手段に記憶してあるディレイ時間値を読み込んで、上記第１及び第２のディレイ時間に設定することを特徴とする。
【００１１】
請求項３に記載の発明は、請求項１に記載の発明に於いて、上記ディレイ時間は、撮影者によりカメラのメニュー画面から設定可能であることを特徴とする。
【００１２】
請求項４に記載の発明は、請求項２に記載の発明に於いて、上記メモリ手段に予め記憶されているディレイ時間は、他のカメラの実測値の代表値が記憶されているものであり、上記メニュー画面からカメラの機種情報により設定することが可能であることを特徴とする。
【００１３】
請求項５に記載の発明は、請求項１に記載の発明に於いて、上記ディレイ時間設定手段は、カメラ外部からの信号を受けて、上記第１のディレイ時間と、上記第２のディレイ時間を設定し、上記ミラー制御手段は、上記シャッタレリーズスイッチ検出手段の出力を受けて、上記第１のディレイ時間経過後に上記クイックリターンミラーを撮影光路から退避させ、上記シャッタ制御手段は、上記第２のディレイ時間経過後に上記フォーカルプレーンシャッタを動作させることを特徴とする。
【００１４】
請求項６に記載の発明は、請求項５に記載の発明に於いて、上記カメラ外部からの信号は、別のカメラのシャッタレリーズスイッチのオンと、上記ミラー制御手段の動作開始若しくは上記シャッタ制御手段の動作開始のタイミングで出力される信号であることを特徴とする。
【００１５】
請求項７に記載の発明は、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、上記クイックリターンミラーを駆動するアクチュエータを制御するミラー制御手段と、上記フォーカルプレーンシャッタの走行を制御するシャッタ制御手段と、上記シャッタレリーズスイッチのレリーズタイムラグを設定する設定手段と、を具備し、上記ミラー制御手段は、上記設定手段で設定されたレリーズタイムラグに応じて、上記アクチュエータに印加する電圧を変化させることを特徴とする。
【００１６】
請求項８に記載の発明は、フォーカルプレーンシャッタと、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、上記クイックリターンミラーを駆動するアクチュエータを制御するミラー制御手段と、他のカメラと通信を行い、上記他のカメラのレリーズタイムラグと同じレリーズタイムラグを設定する設定手段と、上記設定手段で設定されたレリーズタイムラグに基づき、上記フォーカルプレーンシャッタの動作開始をディレイさせるシャッタ制御手段と、を具備することを特徴とする。
【００１７】
請求項９に記載の発明は、フォーカルプレーンシャッタと、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、上記クイックリターンミラーを駆動するアクチュエータを制御するミラー制御手段と、複数のカメラのレリーズタイムラグ情報を記憶するメモリ手段と、上記複数のレリーズタイムラグ情報を選択的に設定可能な設定手段と、上記設定手段で設定されたレリーズタイムラグに基づき、上記フォーカルプレーンシャッタの動作開始をディレイさせるシャッタ制御手段と、を具備することを特徴とする。
【００１８】
請求項１０に記載の発明は、フォーカルプレーンシャッタと、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、第１のディレイ時間と、該第１のディレイ時間とは異なる第２のディレイ時間の設定を行うディレイ時間設定手段と、上記シャッタレリーズスイッチ検出手段の出力を受けて、上記第１のディレイ時間経過後に上記クイックリターンミラーを撮影光路から退避させるべく駆動するアクチュエータを制御するミラー制御手段と、上記シャッタレリーズスイッチ検出手段の出力を受けて、上記第２のディレイ時間経過後に上記フォーカルプレーンシャッタの走行を制御するシャッタ制御手段と、を具備することを特徴とする。
【００１９】
請求項１１に記載の発明は、請求項１０に記載の発明に於いて、上記ディレイ時間設定手段は、上記第１のディレイ時間及び第２のディレイ時間を設定変更可能であることを特徴とする。
【００２０】
請求項１２に記載の発明は、請求項１１に記載の発明に於いて、上記ディレイ時間設定手段は、上記第１のディレイ時間と第２のディレイ時間を所望の割合に従って設定可能であることを特徴とする。
【００２１】
請求項１３に記載の発明は、請求項１０に記載の発明に於いて、複数のディレイ時間を記憶するメモリ手段を更に具備し、上記ディレイ時間設定手段は、予め上記メモリ手段に記憶されているディレイ時間値を読み込んで、上記第１及び第２のディレイ時間に設定することを特徴とする。
【００２２】
請求項１４に記載の発明は、請求項１０に記載の発明に於いて、上記ディレイ時間は、カメラのメニュー画面から設定可能であることを特徴とする。
【００２３】
請求項１５に記載の発明は、請求項１３に記載の発明に於いて、上記メモリ手段に予め記憶されているディレイ時間は、他のカメラの実測値の代表値が記憶されているものであり、上記メニュー画面からカメラの機種情報により設定することが可能であることを特徴とする。
【００２４】
請求項１６に記載の発明は、クイックリターンミラーを備える一眼レフカメラに於いて、シャッタレリーズを指示するシャッタレリーズスイッチと、上記シャッタレリーズスイッチのオン、オフを検出するシャッタレリーズスイッチ検出手段と、上記シャッタレリーズスイッチのレリーズタイムラグを設定する設定手段と、上記設定手段で設定されたレリーズタイムラグに応じて、上記クイックリターンミラーを駆動するアクチュエータに印加する電圧を変化させて制御するミラー制御手段と、上記フォーカルプレーンシャッタの走行を制御するシャッタ制御手段と、を具備することを特徴とする。
【００２５】
請求項１７に記載の発明は、フォーカルプレーンシャッタと、クイックリターンミラーを備えて通信可能な、少なくとも第１及び第２の一眼レフカメラを有するカメラシステムに於いて、上記第１のカメラは、シャッタレリーズを指示するシャッタレリーズスイッチと、上記シャッタレリーズスイッチのオン、オフを検出するシャッタレリーズスイッチ検出手段と、上記シャッタレリーズスイッチのレリーズタイムラグを設定する第１の設定手段と、上記設定手段で設定されたレリーズタイムラグに基づき、上記フォーカルプレーンシャッタの動作開始をディレイさせる第１のシャッタ制御手段と、を具備し、上記第２のカメラは、上記第１のカメラと通信を行い、上記第１のカメラのレリーズタイムラグと同じレリーズタイムラグを設定する第２の設定手段と、上記第２の設定手段で設定されたレリーズタイムラグに基づき、上記フォーカルプレーンシャッタの動作開始をディレイさせる第２のシャッタ制御手段と、を具備することを特徴とする。
【発明の効果】
【００２６】
本発明によれば、レリーズタイムラグを撮影者の所望のタイミングに遅らせることが可能な一眼レフカメラ及びカメラシステムを提供することができる。
【発明を実施するための最良の形態】
【００２７】
以下、図面を参照して本発明の実施形態を説明する。
【００２８】
図１は、本発明の一眼レフカメラの概念を示すブロック構成図である。
【００２９】
図１に於いて、ファーストレリーズスイッチ（１ＲＳＷ）１及びセカンドレリーズスイッチ（２ＲＳＷ）２のオン、オフ信号は、シャッタレリーズスイッチ検出手段であるスイッチ検出回路３で検出される。そして、このスイッチ検出回路３の出力は、ディレイ時間発生回路４を介して露出部５に供給される。一方、上記ディレイ時間発生回路４には、ディレイ時間設定手段であるディレイ時間設定部６により設定された時間が供給される。
【００３０】
上記ファーストレリーズスイッチ１及びセカンドレリーズスイッチ２は、図示されないレリーズ釦の半押し状態及び全押し状態に対応するもので、これらのスイッチのオン、オフ状態がスイッチ検出回路３により検出される。そして、このスイッチ検出回路３の出力がディレイ時間発生回路４に供給されて、ここでディレイ時間設定部６で設定されたディレイ時間が経過した後、露出部５に信号が供給されて露出動作が行われる。
【００３１】
ディレイ時間設定部６は、このカメラのレリーズタイムラグのディレイ時間を設定するもので、例えば詳細は後述する液晶モニタ上に表示されるメニュー画面によって設定が可能である。そして、このディレイ時間は、詳細を後述するボディ制御用マイクロコンピュータによって計測される。
【００３２】
（第１の実施形態）
次に、本発明の第１の実施形態について説明する。
【００３３】
図２は、本発明の第１の実施形態に係る一眼レフカメラの電気系のシステム構成を示すブロック図である。
【００３４】
図２に於いて、このカメラ１０は、ボディユニット１１と、交換可能なレンズユニット（すなわちレンズ鏡筒）１２と、通信コネクタ１６を介して撮影した画像データを記録しておく記録メディア１３と、ストロボ通信コネクタ１７を介して外付けのストロボユニット１４とを有して構成されている。
【００３５】
上記レンズユニット１２は、上記ボディユニット１１の前面に設けられた、図示されないレンズマウントを介して着脱自在に装着可能である。そして、上記レンズユニット１２は、撮影レンズ２１と、絞り２２と、レンズ駆動機構２３と、絞り駆動機構２４と、レンズ制御用マイクロコンピュータ（以下、Ｌμｃｏｍと略記する）２５とから構成されている。
【００３６】
上記撮影レンズ２１は、レンズ駆動機構２３内に存在する図示されないＤＣモータによって、光軸方向に駆動される。絞り２２は、絞り駆動機構２４内に存在する図示されないステッピングモータによって駆動される。また、Ｌμｃｏｍ２５は、上記レンズ駆動機構２３や絞り駆動機構２４等、レンズユニット１２内の各部を駆動制御する。このＬμｃｏｍ２５は、通信コネクタ１５を介して、後述するボディ制御用マイクロコンピュータ５０と電気的に接続がなされ、該ボディ制御用マイクロコンピュータ５０の指令に従って制御される。
【００３７】
一方、ボディユニット１１は、以下のように構成されている。
【００３８】
レンズユニット１２内の撮影レンズ２１、絞り２２を介して入射される図示されない被写体からの光束は、クイックリターンミラー３１で反射されて、フォーカシングスクリーン３２、ペンタプリズム３３を介して接眼レンズ３４に至る。
【００３９】
上記クイックリターンミラー３１の中央部はハーフミラーになっており、該クイックリターンミラー３１がダウン（図示の位置）した際に一部の光束が透過する。そして、この透過した光束は、クイックリターンミラー３１に設置されたサブミラー３５で反射され、自動測距を行うためのＡＦセンサユニット３６に導かれる。尚、上記クイックリターンミラー３１のアップ時には、サブミラー３５は折り畳まれるようになっている。
【００４０】
上記クイックリターンミラー３１の後方には、光軸上のフォーカルプレーン式のシャッタ３９と、その周縁部に圧電素子４０が配置された防塵フィルタ４１と、光学系を通過した被写体像を光電変換するためのＣＣＤユニット（撮像素子）４２とを備えた撮像モジュールが設けられている。図示されないが、クイックリターンミラー３１が光路より退避した場合、撮影レンズ２１を通った光束は、撮像モジュール内のＣＣＤユニット４２に結像される。
【００４１】
このボディユニット１１は、また、上記撮像モジュール内のＣＣＤユニット４０に接続されたＣＣＤインターフェイス回路４５と、記憶領域として設けられたＳＤＲＡＭ４７及びＦｌａｓｈＲｏｍ４８と、液晶モニタ４９及び上記通信コネクタ１６を介して記録メディア１３とが、画像処理を行うための画像処理コントローラ４６に接続されている。これらは、電子撮像機能と共に電子記録表示機能を提供できるように構成されている。
【００４２】
上記記録メディア１３は、各種のメモリカードや外付けのハードディスクドライブ（ＨＤＤ）等の外部記録媒体であり、通信コネクタ１６を介してボディユニット１１と通信可能、且つ交換可能に装着される。
【００４３】
上記画像処理コントローラ４６は、通信コネクタ１５と、測光回路５３と、ミラー駆動機構５４と、ＡＦセンサ駆動回路５５と、シャッタチャージ機構５６と、シャッタ制御手段であるシャッタ制御回路５７と、防塵フィルタ駆動回路５９と、温度測定回路６０と、メモリ手段である不揮発性メモリ（ＥＥＰＲＯＭ）６１等と共に、このボディユニット１１内の各部を制御するためのボディ制御用マイクロコンピュータ（以下、Ｂμｃｏｍと略記する）５０に接続されている。尚、このＢμｃｏｍ５０は、シャッタレリーズスイッチ検出手段、ミラー制御手段、ディレイ時間設定手段としての機能を有している。
【００４４】
上記Ｂμｃｏｍ５０には、当該カメラの動作状態を表示出力によって撮影者へ告知するための動作表示用ＬＣＤ６３と、カメラ操作スイッチ（ＳＷ）６４と、着脱検出スイッチ（ＳＷ）６５と、電源回路６７及び電圧検出回路６８を介して電池６９とが接続されている。上記カメラ操作スイッチ６４は、ファーストレリーズスイッチ、セカンドレリーズスイッチにより構成されるシャッタレリーズスイッチ等を有すると共に、設定手段として、後述するキー８３ａ〜８３ｄから成る十字キー８３、ＯＫ釦８４等を有して構成される。
【００４５】
尚、上記Ｂμｃｏｍ５０とＬμｃｏｍ２５とは、レンズユニット１２の装着時に於いて、通信コネクタ１５を介して通信可能に電気的接続がなされる。そして、カメラとしてＬμｃｏｍ２５がＢμｃｏｍ５０に従属的に協働しながら稼動するようになっている。
【００４６】
上記測光回路５３は、上記ペンタプリズム３３からの光束に基づいて測光処理する回路である。上記ミラー駆動機構５４はクイックリターンミラー３１を駆動制御する機構であり、ＡＦセンサ駆動回路５５は上記ＡＦセンサユニット３６を駆動制御するための回路である。また、シャッタ制御回路５７は、上記シャッタ３９の先幕と後幕の動きを制御すると共に、Ｂμｃｏｍ５０との間でシャッタの開閉動作を制御する信号とストロボと同調する信号の授受を行う。
【００４７】
上記防塵フィルタ駆動回路５９は圧電素子４０の駆動回路であり、圧電素子４０が駆動されることによって防塵フィルタ４１が共振されるようになっている。また、温度測定回路６０は、ＣＣＤユニット４２の近傍に設けられて該ＣＣＤユニット４２の温度が測定される。
【００４８】
不揮発性メモリ６１は、その他の記憶領域として、カメラ制御に必要な所定の制御パラメータを記憶する記憶手段であり、Ｂμｃｏｍ５０からアクセス可能に設けられている。
【００４９】
動作表示用ＬＣＤ６３は、当該カメラの動作状態を表示出力によって撮影者へ告知するためのものである。上記カメラ操作スイッチ６４は、例えば撮影動作の実行を指示するレリーズスイッチ、撮影モードと画像表示モードを切り替えるモード変更スイッチ及びパワースイッチ等、当該カメラを操作するために必要な操作釦を含むスイッチ群で構成される。
【００５０】
更に、電源回路６７は、電源としての電池６９の電圧を、当該カメラの各回路ユニットが必要とする電圧に変換して供給するために設けられている。
【００５１】
ストロボユニット５３は、閃光発光部７１と、ＤＣ／ＤＣコンバータ７２と、ストロボ制御マイクロコンピュータ７３及び電池７４とから成っている。そして、このストロボユニット１４は、ストロボ通信コネクタ１７を介して、ボディユニット１１と通信可能に装着可能である。
【００５２】
このように構成されたカメラの各部は、次のように稼動する。
【００５３】
先ず、画像処理コントローラ４６により、Ｂμｃｏｍ５０の指令に従ってＣＣＤインターフェイス回路４５が制御されて、撮像モジュールから画像データが取り込まれる。この画像データは、一時保管用メモリであるＳＤＲＡＭ４７に取り込まれる。このＳＤＲＡＭ４７は、画像データが変換される際のワークエリア等に使用される。また、この画像データは、ＪＰＥＧデータに変換された後には、記録メディア１３に保管されるように設定されている。
【００５４】
ミラー駆動機構５４は、上述したように、クイックリターンミラー３１をアップ（ＵＰ）位置とダウン（ＤＯＷＮ）位置へ駆動するための機構である。ミラー駆動機構５４によってクイックリターンミラー３１がダウン位置にある時、撮影レンズ２１からの光束は、ＡＦセンサユニット３６側とペンタプリズム３３側へと分割されて導かれる。
【００５５】
ＡＦセンサユニット３６内のＡＦセンサからの出力は、ＡＦセンサ駆動回路５５を介してＢμｃｏｍ５０へ送信されて、周知の測距処理が行われる。
【００５６】
一方、ペンタプリズム３３に隣接する接眼レンズ３４からは、撮影者が被写体を目視することができる。また、上記ペンタプリズム３３を通過した光束の一部は、測光回路５３内のホトセンサ（図示せず）へ導かれ、ここで検知された光量に基づいて周知の測光処理が行われる。
【００５７】
シャッタ制御回路５７では、Ｂμｃｏｍ５０からシャッタを駆動制御するための信号が受取られると、その信号に基づいてシャッタ３９が制御される。それと共に、シャッタ制御回路５７から、所定のタイミングでＢμｃｏｍ５０にストロボを発光させるためのストロボ同調信号が出力される。Ｂμｃｏｍ５０からは、このストロボ同調信号に基づいて、ストロボユニット１４に通信により発光指令信号が出力される。
【００５８】
また、撮影者によって上述したカメラ操作スイッチ６４の中のモード変更スイッチが操作されて、撮影モードから画像表示モードへ切り換えられると、記録メディア１３に保管された画像データが読み出されて、液晶モニタ４９に表示可能である。記録メディア１３から読み出された画像データは、画像処理コントローラ４６に於いてビデオ信号に変換され、液晶モニタ４９にて出力表示される。
【００５９】
図３は、本実施形態に於けるカメラの外観を示すもので、カメラの背面側から見た斜視図である。
【００６０】
図３に於いて、このカメラ１０は、上述したように、ボディユニット１１と、このボディユニット１１に装着されたレンズユニット１２とから構成されている。尚、図３では、説明を容易にするため、ストロボユニット１４は省略されている。
【００６１】
ボディユニット１１のグリップ部の上面部には、上述したカメラ操作スイッチ６４としてファーストレリーズスイッチ１及びセカンドレリーズスイッチ２に対応するレリーズ釦８１が設けられている。
【００６２】
また、ボディユニット１１の背面側には、接眼レンズ３４と、液晶モニタ４９と共に、この液晶モニタ４９に表示される各種メニュー画面を走査するための、４方向に分割されたキー８３ａ〜８３ｄから成る十字キー８３と、上記メニュー画面上での項目を選択（決定）するためのＯＫ釦８４とが設けられている。
【００６３】
尚、液晶モニタ４９に表示されるメニュー画面とその操作例については後述する。
【００６４】
次に、第１の実施形態に於けるカメラの動作について、図４のタイミングチャート及び図５乃至図７のフローチャートを参照して説明する。
【００６５】
図４は第１の実施形態に於けるカメラの撮影時の動作を説明するタイミングチャートであり、図５は第１の実施形態に於けるカメラの撮影時の動作を説明するフローチャートである。尚、この撮影動作は、Ｂμｃｏｍ５０の制御により行われる。
【００６６】
カメラボディ１内に電池が装填されると、このカメラシステムの動作が開始される。すると、先ずステップＳ１にて、Ｂμｃｏｍ５０の初期化が行われる。次いで、ステップＳ２に於いて、図示されないパワースイッチの状態が判定される。ここで、パワースイッチがオンされるまで待機し、オンされるとステップＳ３へ移行する。
【００６７】
そして、ステップＳ３に於いて、ボディユニット１１のレリーズ釦８１の状態が判定される。ここで、レリーズ釦８１が半押しの状態でない（ファーストレリーズスイッチ１がオフ）場合は、後述するステップＳ１２へ移行する。一方、レリーズ釦８１が半押しの状態（ファーストレリーズスイッチ１がオン）である場合は、続くステップＳ４及びＳ５にて、測光及び測距が行われる。
【００６８】
次いで、ステップＳ６に於いて、上記ステップＳ５の測距動作により算出されたレンズの駆動量により、合焦範囲内であるか否かが判定される。ここで、合焦範囲内でなければ、ステップＳ７へ移行して焦点調節用のレンズが調節されて合焦動作が行われる。その後、上記ステップＳ５へ移行する。そして、ステップＳ６にてレンズが合焦範囲内になるまでステップＳ５〜Ｓ７が繰り返される。
【００６９】
上記ステップＳ６にて合焦範囲内となれば、ステップＳ８に移行して、レリーズ釦８１が全押しされた状態であるか否かが判定される。ここで、レリーズ釦８１が全押し状態でなければ（セカンドレリーズスイッチ２がオフ）、上記ステップＳ３へ移行する。一方、レリーズ釦８１が全押し状態（セカンドレリーズスイッチ２がオン）になったならば、ステップＳ９へ移行して、サブルーチン「露出処理」が実行、すなわちＣＣＤユニット４５による被写体像の読み込みが行われる。
【００７０】
図６は、図５のフローチャートのステップＳ９に於けるサブルーチン「露出処理」の動作を説明するフローチャートである。
【００７１】
本サブルーチンに入ると、先ずステップＳ２１にて、シャッタ３９の先幕保持マグネットの通電が開始される。続いて、ステップＳ２２にて、シャッタ３９の後幕保持マグネットの通電が開始される。そして、ステップＳ２３に於いて、サブルーチン「レリーズタイムラグ調整時間待ち」が実行される。尚、このステップＳ２３に於いては、レリーズタイムラグＴ１についての調整時間待ちの処理が行われるもので、後述するステップＳ２８のレリーズタイムラグＴ２についての処理とは調整時間が異なっている。
【００７２】
図７は、図６のフローチャートのステップＳ２３及びＳ２８に於けるサブルーチン「レリーズタイムラグ調整時間待ち」の動作を説明するフローチャートである。
【００７３】
本サブルーチンに入ると、先ず、ステップＳ４１にて、予め設定されているタイマ値の設定値が判定される。このタイマ値は、上述した図６のフローチャートのステップＳ２３のサブルーチンであればＴ１であり、同図６のフローチャートのステップＳ２８のサブルーチンであればＴ２である。ここで、上記タイマ値の設定が“０”であれば本ルーチンを抜ける。これに対し、タイマ値の設定が“０”でなければ、続くステップＳ４２にて、そのタイマ値（例えば１０ｍｓｅｃ）がレジスタ（ｒｅｇ）にセットされる。
【００７４】
次いで、ステップＳ４３にて所定時間、この場合１ｍｓｅｃだけ待機される。そして、ステップＳ４４にてレジスタの値がデクリメントされると、ステップＳ４５に於いて、レジスタの値が“０”になったか否かが判定される。ここで、レジスタが“０”になるまでステップＳ４３〜Ｓ４５の処理が繰り返され、“０”になったならば、本ルーチンを抜けて上記調整時間（Ｔ１またはＴ２）に応じて図６のフローチャートのステップＳ２４またはＳ２９に移行する。
【００７５】
図６のフローチャートに戻って、ステップＳ２４では、マグネット通電安定時間だけ待機される。この時間は、上記ステップＳ２３にてレリーズタイムラグ調整時間が“０”であった場合を考慮して、ここで所定時間だけ待機するように設定されたものである。
【００７６】
ステップＳ２５では、クイックリターンミラー３１を撮影光路より退避させるための図示されないミラーアップ（ＭＳ）モータの通電が開始される。次いで、ステップＳ２６に於いて、図示されないミラーアップスイッチ（ＳＷ）の状態が判定される。ここで、ミラーアップスイッチが検出されると、続くステップＳ２７にてクイックリターンミラー３１の動きを停止させるべく、ＭＳモータの通電が停止される。
【００７７】
そして、ステップＳ２８にて、再びサブルーチン「レリーズタイムラグ調整時間待ち」が実行される。尚、このステップＳ２８に於いては、レリーズタイムラグＴ２についての調整時間待ちの処理が行われるもので、上述したステップＳ２３のレリーズタイムラグＴ１についての処理とは調整時間が異なっているだけで、その処理動作は同じであるので、ここでは説明を省略する。
【００７８】
上記ステップＳ２８でサブルーチン「レリーズタイムラグ調整時間待ち」が実行されると、続くステップＳ２９にて露出時間がタイマに設定され、更にステップＳ３０にて該タイマの計時が開始される。ステップＳ３１では、先幕保持マグネットの通電が停止される。そして、ステップＳ３２にて、上記ステップＳ３０で開始されたタイマの計時が完了したか否かが判定される。
【００７９】
ここで、タイマの計時が完了したならば、ステップＳ３３へ移行して後幕保持マグネットの通電が停止される。そして、ステップＳ３４にて後幕走行時間待ちが行われると、ステップＳ３５にて、クイックリターンミラー３１を退避位置より撮影光路内に挿入させるためのミラーアップ（ＭＳ）モータの通電が開始される。
【００８０】
次いで、ステップＳ３６に於いて、図示されないシャッタチャージスイッチ（ＳＷ）の状態が判定される。ここで、シャッタチャージスイッチが検出されると、続くステップＳ３７にてクイックリターンミラー３１の動きを停止させるべく、ＭＳモータの通電が停止される。これにより、露出処理が終了して本ルーチンを抜ける。
【００８１】
図５のフローチャートに戻って、ステップＳ１０では、画像データの読み出しが行われる。そして、この読出された画像データが、ステップＳ１１にてメディアに記録される。
【００８２】
その後、ステップＳ１２に於いて、図示されないメニュー釦が操作されたか否かが判定される。ここで、メニュー釦が操作された場合は、ステップＳ１３へ移行して、後述するサブルーチン「メニュー処理」が実行される。その後、上記ステップＳ２へ移行する。一方、上記ステップＳ１２にてメニュー操作釦が操作されない場合は、ステップＳ１３をスキップして上記ステップＳ２へ移行する。
【００８３】
ここで、メニュー処理について、図８乃至図１０を参照して説明する。
【００８４】
図８は、メニュー処理の一例として、メニュー画面にてレリーズタイムラグＴ１を設定する例を説明する図である。
【００８５】
ボディユニット１１の背面に設けられた液晶モニタ４９に図示されないメニュー画面が表示されている状態で、上述した十字キー８３、ＯＫ釦８４が操作されることによって、撮影者が所望とする項目が表示される。この場合、レリーズタイムラグＴ１の設定を行う画面が、液晶モニタ４９に表示される。図８に示される表示画面は、例えば、設定項目９１ａと、切り替え表示部９２ａと、切り替えマーク９３1 、９３2 と、ガイド表示部９４とから構成されている。
【００８６】
この表示画面の設定項目９１ａは、上述した十字キー８３、ＯＫ釦８４が操作されることによって、表示される設定項目の選択、決定が行われるようになっている。そして、例えば、図８に示されるように、レリーズタイムラグＴ１の設定を行う表示画面の場合、ガイド表示部９４に示されるように、表切り替えマーク９３1 、９３2 に対応した十字キー８３の上下キー８３ａ、８３ｄが操作され、ＯＫ釦８４が操作されることによって決定される。
【００８７】
いま、切り替え表示部９２ａに、設定されるレリーズタイムラグＴ１の時間が、「２０」ｍｓｅｃと表示されている。この状態で切り替えマーク９３1 に対応したキー８３ａが操作されると、切り替え表示部９２ａの表示が「２１」に切り替わる。一方、表示されている数字が「２０」の状態から切り替えマーク９３2 に対応したキー８３ｄが操作されると、切り替え表示部９２ａの表示が「１９」に切り替わる。
【００８８】
つまり、切り替え表示部９２ａに表示されている数字に対して、切り替えマーク９３1 に対応したキー８３ａが操作されると当該数字が「１」だけ増加し、切り替えマーク９３2 に対応したキー８３ｄが操作されると当該数字が「１」だけ減少するようになっている。そして、このような操作が行われた後、ＯＫ釦８４がオンされることによって、切り替え表示部９２ａに表示されている数値が決定される。
【００８９】
このようにして、メニュー処理が行われる。
【００９０】
尚、上述したキー８３ａ、８３ｄによって切り替えられる切り替え表示部９２ａの数値は、「１」ずつ表示が変更されるとしたが、これに限られるものではない。
【００９１】
図９は、レリーズタイムラグの他の設定例を示すもので、メニュー画面にてレリーズタイムラグＴ１とＴ２の設定を行う例を説明する図である。
【００９２】
上述したように、レリーズタイムラグはＴ１とＴ２が存在するので、図９に示されるように、レリーズタイムラグＴの設定を行う設定項目９１ｂに於いて、Ｔ１とＴ２の比を選択するようにすることも可能である。この場合、切り替え表示部９２ｂに表示されている数値（時間）に対して、選択表示部９５1 〜９５4 に表示されている比でレリーズタイムラグＴ１、Ｔ２が決定されるようになっている。
【００９３】
例えば、合計したレリーズタイムラグＴが「３０」ｍｓｅｃであり、図９に斜線部で表示されている選択表示部９５4 の比が、十字キー８３及びＯＫ釦８４で選択、決定される。すると、Ｂμｃｏｍ５０にて、Ｔ１：Ｔ２が２：１の比率であることが自動的に計算され、レリーズタイムラグＴ１が２０ｍｓｅｃ、Ｔ２が１０ｍｓｅｃとなる。
【００９４】
勿論、このレリーズタイムラグＴ１、Ｔ２の比の設定は、図９に示される例に限られるものではない。また、キー８３ａ、８３ｄによって切り替えられる切り替え表示部９２ａの数値の切り替えも、「１」ずつの変更に限られるものではない。
【００９５】
図１０は、更に別のレリーズタイムラグの設定例を示すもので、メニュー画面にてレリーズタイムラグＴ１を視覚的に捉えて設定を行う例を説明する図である。
【００９６】
図１０に示されるように、このメニュー処理画面では、レリーズタイムラグＴ１の設定項目９１ａに対し、時間そのものの表示ではなく、Ｔ１が“０”から長時間を表す“Ｓｌｏｗ”と記されたスケール９６が表示されるようにしている。そして、撮影者は、スケール９６の下方に表示される設定指示マーク９７を、スケール９６に沿って移動させるべくガイド表示部９４に表示されているように、十字キー８３の左右キー８３ｂ、８３ｃを操作する。そして、所望の位置に設定指示マーク９７が設定された時点でＯＫ釦８４がオンされると、レリーズタイムラグＴ１が決定される。
【００９７】
このように、数値ではなく視覚的に捉えてレリーズタイムラグを設定することも可能である。
【００９８】
以上のように、第１の実施形態によれば、撮影者が所望とするタイミングに遅らせてレリーズタイムラグを設定することができる。
【００９９】
（第２の実施形態）
次に、本発明の第２の実施形態について説明する。
【０１００】
上述した第１の実施形態他では、撮影者がレリーズタイムラグの数値を設定しているが、この第２の実施形態では、予め定められたレリーズタイムラグの数値を使用するようにしている。
【０１０１】
尚、この第２の実施形態に於ける一眼レフカメラの構成及び動作は、基本的に図１乃至図７に示された第１の実施形態と同様であるので、同一の部分には同一の参照番号またはステップ番号を付してその図示及び説明は省略し、異なる部分についてのみ説明する。
【０１０２】
図１１は、第２の実施形態に於けるレリーズタイムラグを設定する例を説明する図である。
【０１０３】
上述した第１の実施形態と同様にして、メニュー画面から十字キー８３及びＯＫ釦８４の操作によって、レリーズタイムラグの設定画面が液晶モニタ４９に表示される。そして、図１１に示されるように、ガイド表示部９４と共に、選択項目９８ａ及び９８ｂが表示された状態で、撮影者は設定指示マーク９９を所望の選択項目に合わせることで、所望の情報を得ることができる。
【０１０４】
例えば、複数（この場合５つ）の選択項目９８ａが表示されている状態で、撮影者によりキー８３ａ、８３ｄが操作されて、「タイムラグ」に設定指示マーク９９が合わされてＯＫ釦８４がオンされる。すると、選択項目９８ｂにレリーズタイムラグに関する複数（この場合６つ）の項目が表示される。
【０１０５】
ここで、キー８３ａ、８３ｃ、８３ｄが撮影者によって操作され、例えば図１１に斜線部で示される「Ａ社ＴＹＰＥ  ＹＹ」の項目が選択されたとする。すると、下記表１に示されるように、予め登録されている「Ａ社ＴＹＰＥ  ＹＹ」のレリーズタイムラグのデータが読み出されて、それぞれのＴ１、Ｔ２が設定される。
【表１】
2005321637.tif 000003
【０１０６】
同様に、図１１に示される選択項目９８ｂから、「ユーザ１」、「ユーザ２」、「ユーザ３」が選択された場合は、上述した第１の実施形態のようにして予め登録されたレリーズタイムラグＴ１、Ｔ２が設定される。また、選択項目９８ｂで「オフ」が選択された場合は、Ｔ１、Ｔ２には“０”が設定される。
【０１０７】
このように、第２の実施形態によれば、予め登録された値を選択してレリーズタイムラグとして設定することができる。
【０１０８】
（第３の実施形態）
次に、本発明の第３の実施形態を説明する。
【０１０９】
上述した第１及び第２の実施形態は、調整時間を設けてレリーズタイムラグの時間を直接変更するようにしていたが、この第３の実施形態では、クイックリターンミラー３１を駆動するミラー駆動機構５４内のＭＳモータに印加される電圧を変化させてレリーズタイムラグを調整しようとするものである。
【０１１０】
尚、この第３の実施形態に於ける一眼レフカメラの構成及び動作は、基本的に図１乃至図７に示された第１の実施形態と同様であるので、同一の部分には同一の参照番号またはステップ番号を付してその図示及び説明は省略し、異なる部分についてのみ説明する。
【０１１１】
図１２は、図２のミラー駆動機構５４の主要部を示す回路構成図である。
【０１１２】
このミラー駆動機構５４は、ＭＳモータＭ１と、このＭＳモータＭ１にブリッジ回路を構成して接続されるトランジスタＱ１１〜Ｑ１４と、制御トランジスタＱ１０と、オペアンプＵ１と、抵抗器Ｒ１０〜Ｒ１２とから、図示の如く構成されている。
【０１１３】
いま、オペアンプＵ１のプラス入力（Ｂμｃｏｍ５０からのＤＡ出力）に２．２５〜３．２５Ｖの電圧が加わると、制御トランジスタＱ１０のコレクタ側に４．５〜６．５Ｖ、すなわちＤＡの２倍の電圧が得られる。したがって、オペアンプＵ１の入力電圧を変化させることによって、ＭＳモータＭ１の印加電圧を変化させることができる。
【０１１４】
下記表２は、上述したブリッジ回路のトランジスタＱ１１〜Ｑ１４のオン、オフ状態とＭＳモータＭ１の状態との関係を表したものである。これは、例えば、図１２に矢印方向に示される正転方向にＭＳモータＭ１を回転させる場合は、トランジスタＱ１１及びＱ１４がオン状態、トランジスタＱ１２及びＱ１３がオフ状態であることを表している。
【表２】
2005321637.tif 000004
【０１１５】
図１３は、第３の実施形態に於けるレリーズタイムラグの設定例を説明する図である。
【０１１６】
図１３に示されるように、このメニュー処理画面では、レリーズタイムラグＴ１の設定項目９１ｃに対し、レリーズタイムラグが「早」から「遅」までの５段階の速度を表したスケール１０１が表示される。そして、撮影者は、スケール１０１の下方に表示される設定指示マーク１０２を、スケール１０１に沿って移動させるべくガイド表示部９４に表示されているように、十字キー８３の左右キー８３ｂ、８３ｃを操作する。そして、所望の位置に設定指示マーク９７が設定された時点でＯＫ釦８４がオンされると、レリーズタイムラグが決定される。
【０１１７】
この場合、スケール１０１の５段階の速度に対応して、下記表３に示されるように、ＭＳモータＭ１の駆動電圧と設定値が割り当てられている。
【表３】
2005321637.tif 000005
【０１１８】
そして、この割り当てられた駆動電圧でＭＳモータＭ１が駆動されることによって、クイックリターンミラー３１のアップに要する時間が変化されて、レリーズタイムラグが調整される。
【０１１９】
図１４は第３の実施形態に於けるカメラの撮影時の動作を説明するもので、（ａ）はミラーアップ時のＭＳモータＭ１の印加電圧が６．５Ｖの場合のタイミングチャート、（ｂ）はミラーアップ時のＭＳモータＭ１の印加電圧が４．５Ｖの場合のタイミングチャートである。
【０１２０】
尚、図１４（ａ）、（ｂ）のタイミングチャートに於いて、シャッタ秒時は同一のものである。
【０１２１】
図１４（ａ）及び（ｂ）からわかるように、セカンドレリーズスイッチがオンされた後のミラーアップに要する時間ｔmuは、上記モータ駆動電圧が６．５Ｖの場合に比べて４．５Ｖの方が長いものとなっている。
【０１２２】
ここで、図４のタイミングチャートで表される上述した第１の実施形態、或いは第２の実施形態では、ミラーアップ時間は変化せず、且つレリーズタイムラグの調整時間をミラーアップ時間とは別に設けていた。しかしながら、この第３の実施形態では、ミラーアップ時間そのものを変化させることが可能であるため、ミラーアップ時間そのものをレリーズタイムラグの調整時間としている。したがって、ミラーアップ時間が短ければレリーズタイムラグは短く、ミラーアップ時間が長ければレリーズタイムラグは長いものとなる。
【０１２３】
図１５は、第３の実施形態に於けるカメラの露出処理の動作を説明するフローチャートである。
【０１２４】
上述した第１の実施形態に於いては、上述した図５のフローチャートに於けるステップＳ９のサブルーチン「露出処理」は、図６のフローチャートに従って行われたが、本第３の実施形態では、図６のフローチャートに代えて図１５のフローチャートに従って行われる。
【０１２５】
尚、この動作は、Ｂμｃｏｍ５０の制御により行われる。
【０１２６】
本サブルーチンに入ると、先ずステップＳ５１にてシャッタ３９の先幕保持マグネットの通電が開始され、続くステップＳ５２にてシャッタ３９の後幕保持マグネットの通電が開始される。更に、ステップＳ５３にて、マグネット通電安定時間だけ待機される。
【０１２７】
そして、ステップＳ５４に於いて、サブルーチン「モータ電圧設定」が実行される。
【０１２８】
図１６は、図１５のフローチャートに於けるステップＳ５４のサブルーチン「モータ電圧設定」の動作を説明するフローチャートである。
【０１２９】
本ルーチンに入ると、先ず、ステップＳ７１に於いて、レリーズタイムラグの設定値が判定される。この設定値とは、上記表３に示された値であり、この場合クイックリターンミラー３１のミラーアップ時間に応じて“０”〜“４”の５段階に分かれている。そして、設定値が“０”の場合は、ステップＳ７２へ移行して、ＤＡ出力が３．２５Ｖに設定される。上述したように、ミラー駆動機構５４内の制御トランジスタＱ１０のコレクタ側はＤ／Ａ出力の２倍の電圧値となるので、ＭＳモータＭ１には６．５Ｖの電圧が印加されることとなる。その後、後述するステップＳ８０へ移行する。
【０１３０】
上記ステップＳ７１にて、レリーズタイムラグの設定値が“０”でない場合は、ステップＳ７３へ移行して、今度はレリーズタイムラグの設定値が“１”であるか否かが判定される。ここで、設定値が“１”である場合は、ステップＳ７４へ移行してＤＡ出力が３．００Ｖに設定され、その後、後述するステップＳ８０へ移行する。
【０１３１】
一方、上記ステップＳ７３にて、レリーズタイムラグの設定値が“１”でない場合は、ステップＳ７５へ移行して、レリーズタイムラグの設定値が“２”であるか否かが判定される。ここで、設定値が“２”である場合は、ステップＳ７６へ移行してＤＡ出力が２．７５Ｖに設定される。その後、後述するステップＳ８０へ移行する。
【０１３２】
上記ステップＳ７５にて、レリーズタイムラグの設定値が“２”でない場合は、ステップＳ７７へ移行して、レリーズタイムラグの設定値が“３”であるか否かが判定される。ここで、設定値が“３”である場合は、ステップＳ７８へ移行してＤＡ出力が２．５０Ｖに設定され、その後、後述するステップＳ８０へ移行する。
【０１３３】
一方、上記ステップＳ７７にて、レリーズタイムラグの設定値が“３”でない場合、すなわち設定値が“４”である場合は、ステップＳ７９へ移行して、ＤＡ出力が２．２５Ｖに設定される。その後、ステップＳ８０へ移行する。
【０１３４】
ステップＳ８０では、上述したステップＳ７２、Ｓ７４、Ｓ７６、Ｓ７８及びＳ７９で設定された値のＤＡ出力が、ミラー駆動機構５４内のオペアンプＵ１に供給される。これにより、ステップＳ７２、Ｓ７４、Ｓ７６、Ｓ７８及びＳ７９で設定された値の２倍の電圧が、ＭＳモータＭ１に印加される。その後、本ルーチンを抜ける。
【０１３５】
図１５のフローチャートに戻って、ステップＳ５５では、クイックリターンミラー３１を撮影光路より退避させるためのＭＳモータの通電が開始される。次いで、ステップＳ５６に於いて、ミラーアップスイッチ（ＳＷ）の状態が判定される。ここで、ミラーアップスイッチが検出されると、続くステップＳ５７にてクイックリターンミラー３１の動きを停止させるべく、ＭＳモータの通電が停止される。
【０１３６】
そして、ステップＳ５８にて露出時間がタイマに設定され、更にステップＳ５９にて該タイマの計時が開始される。ステップＳ６０では、先幕保持マグネットの通電が停止される。ステップＳ６１では、上記ステップＳ５９で開始されたタイマの計時が完了したか否かが判定される。
【０１３７】
ここで、タイマの計時が完了したならば、ステップＳ６２へ移行して後幕保持マグネットの通電が停止される。そして、ステップＳ６３にて後幕走行時間待ちが行われると、ステップＳ６４にて、ＭＳモータＭ１の電圧が６．５Ｖに設定される。この電圧値が６．５Ｖに設定されているのは、クイックリターンミラー３１のダウン時は、シャッタ３９の後幕走行後であるので、レリーズタイムラグを考慮する必要がないからである。したがって、クイックリターンミラー３１のダウン時は動作時間が最も短い、すなわち最も高い駆動電圧に設定される。
【０１３８】
次いで、ステップＳ６５にて、クイックリターンミラー３１を退避位置より撮影光路内に挿入させるため、ＭＳモータＭ１の通電が開始される。その後、ステップＳ６６に於いて、図示されないシャッタチャージスイッチ（ＳＷ）の状態が判定される。ここで、シャッタチャージスイッチが検出されると、続くステップＳ６７にてクイックリターンミラー３１の動作を停止させるべく、ＭＳモータＭ１の通電が停止される。これにより、露出処理が終了して本ルーチンを抜ける。
【０１３９】
このように、第３の実施形態によれば、クイックリターンミラー３１を駆動するミラー駆動機構５４内のＭＳモータに印加される電圧を変化させてレリーズタイムラグを調整することができる。
【０１４０】
（第４の実施形態）
次に、本発明の第４の実施形態について説明する。
【０１４１】
この第４の実施形態は、複数のカメラ、例えば２つのカメラを使用して、両者のカメラを信号線で接続することにより、一方のカメラの情報を他方のカメラで検出して、自動的にレリーズタイムラグを合わせ込むものである。
【０１４２】
図１７は、第４の実施形態に於けるカメラのシステム構成を示すもので、２つのカメラ本体１０ａ及び１０ｂとが、コネクタ１０５ａ及び１０５ｂを介して信号ケーブル１０６によって接続されている。
【０１４３】
図１８は、カメラ本体の一部を上面から見た外観図である。
【０１４４】
このカメラ本体１０の上面部には、外部閃光発光装置等の外部機器を接続するためのホットシュー１１０が設けられている。そして、このホットシュー１１０は、後述する信号Ａ、信号Ｂ、信号Ｃに対応した接続接点１１１ａ、１１１ｂ、１１１ｃと共に、グラウンド部１１２を有して構成されている。このホットシュー１１０に、上述した図１７に示される信号ケーブルのコネクタ１０５ａ（１０５ｂ）が接続されることにより、２つのカメラが電気的に接続される。
【０１４５】
図１９は、第４の実施形態に於いてマスタ側の（第１の）カメラ１０ａとスレーブ側の（第２の）カメラ１０ｂ間の信号を説明するための図である。
【０１４６】
図１９に於いて、カメラ１０ａ及び１０ｂのそれぞれのＣＰＵ１１４ａ及び１１４ｂ内には、計時回路１１５ａ及び１１５ｂを有している。そして、マスタ側のレリーズスイッチ１１６ａ（または１１６ｂ）の全押し状態、すなわちセカンドレリーズスイッチがオンになると出力される信号Ａと、ＣＰＵ１１４ａ（または１１４ｂ）から出力される信号Ｂ、信号Ｃが、上述して接続された相手側、すなわちスレーブ側のカメラ１０ｂ（または１０ａ）に向けて出力される。
【０１４７】
ケーブル１６を介してスレーブ側のカメラ１０ｂ（または１０ａ）で受信された信号Ａ、信号Ｂ、信号Ｃは、計時回路１１５ｂ（または１１５ａ）に入力される。この計時回路１１５ｂ（または１１５ａ）では、露出時間が計測される。
【０１４８】
次に、第４の実施形態に於けるメニュー処理の動作について、図２０のタイミングチャートと、図２１及び図２２のフローチャートを参照して説明する。
【０１４９】
図２０は第４の実施形態に於けるカメラの撮影時の動作を説明するタイミングチャートであり、図２１及び図２２は上述した図５のフローチャートのステップＳ１３に於けるサブルーチン「メニュー処理」の動作を説明するフローチャートである。
【０１５０】
本サブルーチンに入ると、先ずステップＳ９１にて、カメラのマスタ／スレーブについての設定が入力される。ここで、マスタ側のカメラとは信号を出力する側のカメラ（ここでは１０ａとする）であり、スレーブ側のカメラとはマスタ側のカメラ１０ａから出力される信号を受信して計測し、マスタ側に合わせるカメラ（ここでは１０ｂとする）である。尚、このマスタ／スレーブの設定は、液晶モニタ４９に表示されるメニュー画面に従って操作される。
【０１５１】
ステップＳ９２では、いま操作しようとするカメラがマスタ側のカメラ１０ａであるのかスレーブ側１０ｂの何れであるのかが判定される。ここで、スレーブ側のカメラ１０ｂである場合は、後述するステップＳ１１５へ移行する。一方、マスタ側のカメラ１０ａであれば、ステップＳ９３に移行して、スレーブ側のカメラ１０ｂに対して、現在操作しているカメラがマスタ側のカメラ１０ａであり、通信先のカメラがスレーブ側のカメラ１０ｂである旨の通信が行われる。
【０１５２】
次いで、ステップＳ９４にてレリーズ釦８１が半押し（ファーストレリーズスイッチがオン）の状態であるか否かが判定される。ここで、レリーズ釦８１が半押し状態でなければ後述するステップＳ１１３へ移行し、半押し状態であれば、続くステップＳ９５にてレリーズ釦８１が全押し（セカンドレリーズスイッチがオン）の状態であるか否かが判定される。ここで、レリーズ釦８１が全押し状態でなければ、上記ステップＳ９４へ移行する。
【０１５３】
ステップＳ９５でレリーズ釦８１が全押し状態であれば（信号Ａ出力）、ステップＳ９６にて出力信号Ｂ及びＣが切り替わる。これにより、ステップＳ９７にて、先幕保持マグネットの通電が開始される。続いて、ステップＳ９８にて、後幕保持マグネットの通電が開始される。
【０１５４】
ステップＳ９９では、マグネット通電安定時間だけ待機される。そして、ステップＳ１００にて、クイックリターンミラー３１を撮影光路より退避させるためのＭＳモータの通電が開始される。その後、ステップＳ１０１に於いて、図示されないミラーアップスイッチ（ＳＷ）の状態が判定される。ここで、ミラーアップスイッチが検出されると、続くステップＳ１０２にてクイックリターンミラー３１の動きを停止させるべく、ＭＳモータの通電が停止される。
【０１５５】
ステップＳ１０３では露出時間がタイマに設定され、ステップＳ１０４では出力信号Ｃが“Ｈ”から“Ｌ”に切り替わる。その後、ステップＳ１０５にて上記タイマの計時が開始される。ステップＳ１０６では、先幕保持マグネットの通電が停止される。そして、ステップＳ１０７にて、上記ステップＳ１０５で開始されたタイマの計時が完了したか否かが判定される。
【０１５６】
ここで、タイマの計時が完了したならば、ステップＳ１０８へ移行して後幕保持マグネットの通電が停止される。そして、ステップＳ１０９にて後幕走行時間待ちが行われると、ステップＳ１１０にて、クイックリターンミラー３１を退避位置より撮影光路内に挿入させるためのＭＳモータの通電が開始される。
【０１５７】
更に、ステップＳ１１１に於いて、図示されないシャッタチャージスイッチ（ＳＷ）の状態が判定される。ここで、シャッタチャージスイッチが検出されると、続くステップＳ１１２にてクイックリターンミラー３１の動きを停止させるべく、ＭＳモータの通電が停止される。
【０１５８】
そして、ステップＳ１１３に於いて、マスタ側のカメラ１０ａの終了釦（ＯＫ釦８４）が押されたか、或いはスレーブ側のカメラ１０ｂから終了の通信が受信されたか否かが判定される。その結果、終了釦の押下、或いは終了の通信が受信されたならばステップＳ１１４へ移行し、そうでなければ上記ステップＳ９４へ移行する。
【０１５９】
ステップＳ１１４では、スレーブ側のカメラ１０ｂにメニュー処理の終了の旨が通信される。その後、本ルーチンを抜ける。
【０１６０】
一方、上記ステップＳ９２にてスレーブ側のカメラ１０ｂであると判定された場合は、ステップＳ１１５にて、マスタ側のカメラ１０ａに対して、現在操作しているカメラがスレーブ側のカメラ１０ｂであり、通信先のカメラがマスタ側のカメラ１０ａである旨の通信が行われる。
【０１６１】
そして、ステップＳ１１６にてメモリがクリアされると、続くステップＳ１１７に於いて、信号Ａ、Ｂ、Ｃが検出されたか否かが判定される。ここで、上記信号が検出されない場合は後述するステップＳ１２１へ移行し、検出された場合はステップＳ１１８へ移行する。
【０１６２】
ステップＳ１１８では、出力信号Ａが“Ｈ”から“Ｌ”に切り替わってからの時間ｔ１、ｔ２が測定される。この時間ｔ１は、セカンドレリーズスイッチがオンされてから、ミラーアップが開始されるまでの時間、すなわち、先幕保持マグネット及び後幕保持マグネットの通電が開始されるまでの時間である。また、時間ｔ２は、セカンドレリーズスイッチがオンされてから、ミラーアップが終了するまでの時間、すなわち、先幕保持マグネットの通電が停止されるまでの時間である。
【０１６３】
次いで、ステップＳ１１９にて、測定された時間ｔ１、ｔ２がメモリに保管されて、それぞれの平均値が算出される。これより、ステップＳ１２０にて、レリーズタイムラグ調整時間Ｔ１、Ｔ２が算出される。
【０１６４】
そして、ステップＳ１２１に於いて、スレーブ側のカメラ１０ｂの終了釦（ＯＫ釦８４）が押されたか、或いはマスタ側のカメラ１０ａから終了の通信が受信されたか否かが判定される。その結果、終了釦の押下、或いは終了の通信が受信されたならばステップＳ１２２へ移行し、そうでなければ上記ステップＳ１１７へ移行する。
【０１６５】
ステップＳ１２２では、マスタ側のカメラ１０ａにメニュー処理の終了の旨が通信される。その後、ステップＳ１２３にてレリーズタイムラグ調整時間Ｔ１、Ｔ２が記憶されると、本ルーチンを抜ける。
【０１６６】
このように動作することによって、マスタ側のカメラと同じレリーズタイムラグの調整時間を、ケーブルによって接続したスレーブカメラにも適用することができる。
【０１６７】
尚、上述した実施形態では、一眼レフカメラについてのみ説明したが、これに限られるものではない。
【０１６８】
以上、この発明の実施形態について説明したが、この発明は上述した実施形態に限定されるものではなく、この発明の要旨を逸脱しない範囲で種々の変形実施が可能であるのは勿論である。
【図面の簡単な説明】
【０１６９】
【図１】本発明の一眼レフカメラの概念を示すブロック構成図である。
【図２】本発明の第１の実施形態に係る一眼レフカメラの電気系のシステム構成を示すブロック図である。
【図３】本発明の第１の実施形態に於けるカメラの外観を示すもので、カメラの背面側から見た斜視図である。
【図４】第１の実施形態に於けるカメラの撮影時の動作を説明するタイミングチャートである。
【図５】第１の実施形態に於けるカメラの撮影時の動作を説明するフローチャートである。
【図６】図５のフローチャートのステップＳ９に於けるサブルーチン「露出処理」の動作を説明するフローチャートである。
【図７】図６のフローチャートのステップＳ２３及びＳ２８に於けるサブルーチン「レリーズタイムラグ調整時間待ち」の動作を説明するフローチャートである。
【図８】メニュー処理の一例として、メニュー画面にてレリーズタイムラグＴ１を設定する例を説明する図である。
【図９】レリーズタイムラグの他の設定例を示すもので、メニュー画面にてレリーズタイムラグＴ１とＴ２の設定を行う例を説明する図である。
【図１０】更に別のレリーズタイムラグの設定例を示すもので、メニュー画面にてレリーズタイムラグＴ１を視覚的に捉えて設定を行う例を説明する図である。
【図１１】本発明の第２の実施形態に於けるレリーズタイムラグを設定する例を説明する図である。
【図１２】本発明の第３の実施形態を示すもので、図２のミラー駆動機構５４の主要部を示す回路構成図である。
【図１３】本発明の第３の実施形態に於けるレリーズタイムラグの設定例を説明する図である。
【図１４】第３の実施形態に於けるカメラの撮影時の動作を説明するもので、（ａ）はミラーアップ時のＭＳモータＭ１の印加電圧が６．５Ｖの場合のタイミングチャート、（ｂ）はミラーアップ時のＭＳモータＭ１の印加電圧が４．５Ｖの場合のタイミングチャートである。
【図１５】第３の実施形態に於けるカメラの露出処理の動作を説明するフローチャートである。
【図１６】図１５のフローチャートに於けるステップＳ５４のサブルーチン「モータ電圧設定」の動作を説明するフローチャートである。
【図１７】本発明の第４の実施形態に於けるカメラのシステム構成を示した外観斜視図である。
【図１８】カメラ本体の一部を上面から見た外観図である。
【図１９】第４の実施形態に於いてマスタ側のカメラ１０ａとスレーブ側のカメラ１０ｂ間の信号を説明するための図である。
【図２０】第４の実施形態に於けるカメラの撮影時の動作を説明するタイミングチャートである。
【図２１】第４の実施形態に於けるカメラの撮影時の動作を説明するもので、図５のフローチャートのステップＳ１３に於けるサブルーチン「メニュー処理」の動作を説明するフローチャートである。
【図２２】第４の実施形態に於けるカメラの撮影時の動作を説明するもので、図５のフローチャートのステップＳ１３に於けるサブルーチン「メニュー処理」の動作を説明するフローチャートである。
【符号の説明】
【０１７０】
１…ファーストレリーズスイッチ（１ＲＳＷ）、２…セカンドレリーズスイッチ（２ＲＳＷ）、３…スイッチ検出回路、４…ディレイ時間発生回路、５…露出部、６…ディレイ時間設定部、１０…カメラ、１１…ボディユニット、１２…レンズユニット（レンズ鏡筒）、１３…記録メディア、１４…ストロボユニット、２１…撮影レンズ、２２…絞り、２５…レンズ制御用マイクロコンピュータ（Ｌμｃｏｍ）、３１…クイックリターンミラー、３２…フォーカシングスクリーン、３３…ペンタプリズム、３４…接眼レンズ、３５…サブミラー、３６…ＡＦセンサユニット、３９…シャッタ、４０…圧電素子、４１…防塵フィルタ、４２…ＣＣＤユニット（撮像素子）、４５…ＣＣＤインターフェイス回路、４９…液晶モニタ、５０…ボディ制御用マイクロコンピュータ（Ｂμｃｏｍ）、５３…測光回路、５４…ミラー駆動機構、５５…ＡＦセンサ駆動回路、５６…シャッタチャージ機構、５７…シャッタ制御回路、５９…防塵フィルタ駆動回路、６０…温度測定回路、６１…不揮発性メモリ（ＥＥＰＲＯＭ）、６３…動作表示用ＬＣＤ、６４…カメラ操作スイッチ（ＳＷ）、６５…着脱検出スイッチ（ＳＷ）、６７…電源回路、７１…閃光発光部、７３…ストロボ制御マイクロコンピュータ、８１…レリーズ釦、８３十字キー、８３ａ〜８３ｄ…キー、８４…ＯＫ釦。
【図１】
2005321637.tif 000006
【図２】
2005321637.tif 000007
【図３】
2005321637.tif 000008
【図４】
2005321637.tif 000009
【図５】
2005321637.tif 000010
【図６】
2005321637.tif 000011
【図７】
2005321637.tif 000012
【図８】
2005321637.tif 000013
【図９】
2005321637.tif 000014
【図１０】
2005321637.tif 000015
【図１１】
2005321637.tif 000016
【図１２】
2005321637.tif 000017
【図１３】
2005321637.tif 000018
【図１４】
2005321637.tif 000019
【図１５】
2005321637.tif 000020
【図１６】
2005321637.tif 000021
【図１７】
2005321637.tif 000022
【図１８】
2005321637.tif 000023
【図１９】
2005321637.tif 000024
【図２０】
2005321637.tif 000025
【図２１】
2005321637.tif 000026
【図２２】
2005321637.tif 000027